【手続補正書】
【提出日】平成21年1月30日(2009.1.30)
【手続補正１】
【補正対象書類名】明細書
【補正対象項目名】００１７
【補正方法】変更
【補正の内容】
【００１７】
本発明に係る光学装置では、収容空間に、整流部材が形成されているので、収容空間の冷却媒体を内部に拡げ、収容空間に温められた冷却媒体が局所的に滞留したり、偏った流れが生じるのを回避できる。したがって、光変調素子の画像形成領域の温度ムラを抑えるとともに、光変調素子をさらに効率的に冷却できるので、表示特性を向上させることが可能な光学装置を得ることができる。
【手続補正２】
【補正対象書類名】明細書
【補正対象項目名】００３１
【補正方法】変更
【補正の内容】
【００３１】
次に、筐体について説明する。
筐体１０は、図３に示すように、液晶ライトバルブ２のＴＦＴ基板３側に設けられた第１カバーガラス１１ａと、液晶ライトバルブ２の対向基板４側に設けられた第２カバーカラス１１ｂと、第１ガラスパッキン２４ａを介して第１カバーガラス１１ａと第１保持枠２３ａとを固定する第１固定枠１３ａと、第２ガラスパッキン２４ｂを介して第２カバーガラス１１ｂと第２保持枠２３ｂとを固定する第２固定枠１３ｂとを備えている。
また、第１，第２固定枠１３ａ，１３ｂには、液晶ライトバルブ２の画像形成領域Ａより大きい開口部１３ｃ，１３ｄが形成されており、光束が入射することが可能となっている。
【手続補正３】
【補正対象書類名】明細書
【補正対象項目名】００３５
【補正方法】変更
【補正の内容】
【００３５】
また、第１，第２冷却室１７ａ，１７ｂに封入された冷媒３１は、熱伝導率やコストの点で水をベースにしたものが用いられている。通常、冷媒３１は、低温時の凍結を考慮してエチレングリコールあるいはプロピレングルコールの水溶液が用いられている。さらに、消泡剤や防錆剤である有機系の化合物などが添加されている。
また、第1カバーガラス１１ａ及び第２カバーガラス１１ｂの冷媒３１と接触する内面１１ｃ，１１ｄと反対の外面（外側面）１１ｅ，１１ｆには、入射側偏光板（偏光部材）１８及び射出側偏光板（偏光部材）１９がそれぞれ設けられている。
【手続補正４】
【補正対象書類名】明細書
【補正対象項目名】００４０
【補正方法】変更
【補正の内容】
【００４０】
次に、以上の構成からなる本実施形態の液晶ライトバルブユニット１を用いて、液晶ライトバルブ２を冷却する方法について説明する。
まず、駆動装置３６を起動し、回転起動板３５を駆動する。この回転起動板３５の回転に伴い対流起動板３４が回転する。これにより、冷媒貯留部３３ａ，３３ｂにおける冷媒３１が画像形成領域Ａ側に流動し、液晶ライトバルブ２の熱が流体に伝達される。この冷媒３１は、対流起動板３４によって生じる冷媒３１の対流により、冷媒貯留部３３側に流動し、冷媒３１の熱は、第１，第２保持枠２３ａ，２３ｂ及び放熱フィン２７ａ，２７ｂにより外部に放熱される。すなわち、第１，第２保持枠２３ａ，２３ｂは直接冷媒３１に接触するようになっているため、冷媒３１の熱は、近接して配置された第１，第２保持枠２３ａ，２３ｂに、素早く伝達された後、第１，第２保持枠２３ａ，２３ｂの放熱フィン２７ａ，２７ｂにより、広く放熱される。
【手続補正５】
【補正対象書類名】明細書
【補正対象項目名】００４１
【補正方法】変更
【補正の内容】
【００４１】
そして、外部に放熱され冷却された冷媒３１は、対流起動板３４により、再び画像形成領域Ａ側に流動され、液晶ライトバルブ２の熱が冷媒３１に伝達される。また、液晶ライトバルブ２の熱は支持枠２１を介して第１，第２保持枠２３ａ，２３ｂより放熱される。
さらには、液晶ライトバルブ２を冷却するのと同時に、第1，第2冷却室１７ａ，１７ｂ内の冷媒３１の流動により、入射側，射出側偏光板１８，１９も冷却される。
【手続補正６】
【補正対象書類名】明細書
【補正対象項目名】００４９
【補正方法】変更
【補正の内容】
【００４９】
図１０は、上記実施形態の液晶ライトバルブユニット１を備えたプロジェクタ５００の説明図である。
プロジェクタ５００は、光源装置５１２、５１３、５１４と、赤色光用液晶ライトバルブユニット５２２，緑色光用液晶ライトバルブユニット５２３，青色光用液晶ライトバルブユニット５２４と、これら液晶ライトバルブユニット５２２，５２３，５２４それぞれから射出された色光を合成するダイクロイックプリズム（色合成手段）５２５と、ダイクロイックプリズム５２５から合成された光学像を投射する投射する投射レンズ５２６とを備えている。また、液晶ライトバルブユニット５２２，５２３，５２４は、図１１に示すように、ダイクロイックプリズム５２５の側面に沿って、位置決め穴５４０により、ダイクロイックプリズム固定部材５４５に固定されている。また、本実施形態では、高温の冷媒は対流で上部に移動する場合を想定しているため、液晶ライトバルブユニット５２２，５２３，５２４の冷媒貯留部３３ａ，３３ｂが、上部に配置された構成となっている。なお、天吊で使用される場合は、図中の横側に冷媒蓄積部３３ａ，３３ｂを配した構成であっても良い。
【手続補正７】
【補正対象書類名】明細書
【補正対象項目名】００５４
【補正方法】変更
【補正の内容】
【００５４】
なお、液晶ライトバルブユニット５２２，５２３，５２４の保持枠に十分な放熱フィン２７ａ，２７ｂを設けられない場合や、高輝度タイプで放熱量が足りない場合、図１２に示すように、ダイクロイックプリズム５２５の上面（液晶ライトバルブユニット５２２，５２３，５２４が設けられていない面）５２５ａに、液晶ライトバルブユニット５２２，５２３，５２４の放熱フィン２７ｂと接触するとともに、複数の放熱フィン５５０ａを有する放熱部５５０を備えた構成であっても良い。この構成では、放熱部５５０に放熱フィン２７ｂと接触する接触片５５０ｂを設けることにより、放熱フィン２７ｂの熱を放熱部５５０より放熱することができるので、電熱効率を上げることが可能となる。ここでは、放熱部５５０をダイクロイックプリズム５２５の上面５２５ａに設けた構成としたが、プロジェクタ本体内にスペースがあれば、ダイクロイックプリズム５２５の上面５２５ａに限ることはない。
【手続補正８】
【補正対象書類名】明細書
【補正対象項目名】００５５
【補正方法】変更
【補正の内容】
【００５５】
なお、本発明の技術範囲は上記実施形態に限定されるものではなく、本発明の趣旨を逸脱しない範囲において種々の変更を加えることが可能である。
例えば、図１３に示すように、第１，第２冷却室１７ａ，１７ｂに冷媒３１を拡散させる整流突起（整流部材）７１を設けても良い。この構成の場合、対流起動板３４の周囲の流体の流れをスムーズにすることが可能となる。したがって、画像形成領域Ａに、流動の乱れの影響を抑えることができるので、液晶ライトバルブ２を透過した光束の乱れを軽減することが可能となる。また、整流突起７１は、画像形成領域Ａの外側である冷媒貯留部３３ａ，３３ｂに形成されていることが好ましいが、透明部材で形成されている場合は、画像形成領域Ａに形成されていても良い。
さらに、第１，第２冷媒室１７ａ，１７ｂの冷媒蓄積部３３ａ，３３ｂに対流起動板３４を形成した構成にしたが、対流起動板３４は、第１，第２冷媒室１７ａ，１７ｂに形成されていれば良いため、画像形成領域Ａ内であっても良い。なお、この場合には、対流起動手段３４は、画像に影響を抑えるために、透明部材であることが好ましい。
【手続補正９】
【補正対象書類名】図面
【補正対象項目名】図７
【補正方法】変更
【補正の内容】
【図７】
2007240645.tif 000001